(57)【要約】 【課題】  本発明は、結婚したいと思っている相手とデートする時などに、デートの際、相手の心を掴む要領を提供し、結婚にゴールするに至るプロセスを支援するシステムを提供することを課題とする。【解決手段】  １．デートの機会を作ることを支援するシステム。２．愛情を表現する言葉の知識、結婚後に必要とされる生活費に関する知識、基本的な社会保障制度、基本的な政治・社会情勢等のデータベースにアクセスし、デートの際の会話に必要な知識を豊富にし、会話を支援するシステム。３．１と２のシステムの併合により、出会いから結婚成立までのプロセスを支援システム。【選択図】  図１
2006244349.tif 000002
【特許請求の範囲】
【請求項１】
以下の１．〜４．のデータを入力する手段を有しており、
１．結婚相談所にメンバー登録する手段、
２．自分の特徴に関するデータを入力する手段、
３．自分が好む相手の特徴に関するデータを入力する手段、
４．デートをする場所に関する情報を取得する手段、
以下の環境データを外部情報データベースから取得する手段を有しており、
５．天候に関する情報を取得する手段、
以下の６．〜７．のステップを有しており、
６．自分の特徴と自分が好む相手の特徴を照合することによって絞り込まれた相手の表示により、選択した相手を入力し、相手側が、プロポウザルに対して同意または不同意を入力し、それによってデートする相手を確定させるステップ、
７．デートしたい日時、場所について、双方により、それを確定させるステップ、
１．〜７．によりデートの機会を作ることを支援するシステム。
【請求項２】
８．愛情を表現する言葉の知識に関するデータベース、
９．結婚後に必要とされる生活費に関するデータベース、
１０．基本的な社会保障制度に関するデータベース、
１１．基本的な政治・社会情勢に関するデータベース、
１２．音楽・スポーツ・映画・テレビドラマに関するデータベース、
８．〜１０．のデータベース、あるいは８．〜１２．のデータベースにアクセスし、知識を修得して、結婚成立に至るまでの会話を支援するシステム。
【請求項３】
請求項１と請求項２に記載のシステムの併合により、出会いから結婚成立までのプロセスを支援するシステム。
【発明の詳細な説明】
【技術分野】
【０００１】
本発明は、結婚したいと思っている相手とデートする時などに、デートの際、相手の心を掴む要領を提供し、結婚にゴールするに到ることを支援するシステムに関する。
【背景技術】
【０００２】
現代の日本社会は結婚が成立しにくい世の中になった。これには、いろいろな社会的要因があるが、１．結婚した後の子供の教育費用の負担、２．結婚した後に女性が仕事を継続することの困難性、３．男性の雇用関係の変化により、結婚相手の男性の経済的面での将来の不安定性、４．若い男性の低賃金化と実力主義社会により、若い男性の将来収入の予測難性、５．結婚という社会の法的枠組みに組み入れられることに対する、若者の回避傾向、６．携帯電話やパーソナルコンヒューターにより、画像やメールの情報交換は容易にできるようになったものの、結婚という重大な決断を相手に伝える会話の技術レベルが若者の間で、低下傾向にあること、等々がある。これらの要因の中で、１．〜５．については、きわめて日本社会の構造的問題であり、技術的アプローチだけでは解決できるものではない。しかしながら、６．については、若干の技術的支援の余地があるものと考えられる。（このことは、社会的にきわめて重要な意味があり、すなわち、若者が結婚しにくくなったことは、将来、年金問題などのきわめて、解決困難な課題をも内包している。）
【０００３】
本発明者らは、すでに、このような結婚を支援する前段階的支援シンテムとして、特願２００４−２０８１２３号「相手を惹きつける為のコーディネーション支援システム」において、デートに至るまでの支援システムを提案した。その内容は次のようなものである。
（１）以下の１〜４のデータを入力する手段を有しており、
１．結婚相談所にメンバー登録する手段、
２．自分の特徴（顔写真、背の高さ、性格、血液型、趣味、年齢、好きな音楽、好きなタレント、結婚観、年収、保有しているお出かけ用の洋服・着物・装身具・時計・バッグ等）のデータを入力する手段、
３．自分が好む相手の特徴（顔のタイプ、背の高さ、性格、血液型、趣味、年齢、年収等）のデータを入力する手段、
４．営業店の在庫、提供できるサービス等のデータを入力する手段、
以下５〜６の環境データを外部情報データベースから取得する手段を有しており、
５．現在流行している洋服・着物・装身具・時計・バッグ・ヘアースタイル等のデータを取得する手段、
６．現在の季節、天候等の季報情報を取得する手段、
以下の７〜１３のステップを有しており、
７．自分の特徴と自分が好む相手の特徴を照合することによって絞り込まれた相手の表示により、選択した相手を入力し、それによって、相手側にその選択者の情報が表示され、相手側が、プロポウザルに対して同意または不同意を入力し、それによってデートする相手を確定させるステップ、
８．デートしたい日時、場所等について、双方により、それを確定させるステップ、
９．それにより、デートする時のコーディネーションを画面に表示するステップ、
１０．選択したコーディネーションについて、自分の保有していない品物を画面に表示するステップ、
１１．その品物を購入したい場合は、在庫のある店を表示するステップ、
１２．在庫がなく注文したい場合には、インターネットを通じて注文するステップ、
１３．必要に応じコーディネーション画面に表示されたヘアースタイルに仕上げてもらうための美容院もしくは理容室を選択し、予約するステップ
とからなることを特徴とする、コーディネーション支援システム。
（２）該システムは、結婚相談所とメンバーおよび化粧品店、衣装店、宝飾店、貸衣装店、美容室、理容室等が端末とが、インターネットでネットワークされており、環境データを外部データベースから取得し、その他の入力情報と合わせて解析処理可能なソウトウェアを搭載した中央演算処理装置を有していることを特徴とする、コーディネーション支援システム。
【０００４】
しかしながら、上記の支援システムは、デートに至るまでを支援することを提案するものではあるが、うまくコーディネートしてデートに至れば、結婚に至るというものではないことに、本発明者は気がついた。つまり、結婚に至るには、特願２００４−２０８１２３号に記載のように、ただ出会いまで支援すればよいというものではなく、より重要なのは、それからいかに相手をお互いに評価し、少なくとも男性あるいは女性の一方が、結婚したいと考えた場合、いかに結婚成立に持っていくかを技術的に支援するシステムを提供するものである。もちろん結婚の決心は、双方の合意により成立するものであり、本発明が提案する支援システムが万能でないことは言うまでもない。ただ、結婚が成立しにくい世の中になった日本社会の結婚率が少しでも上昇し、少子化傾向に少しでも改善されることを期待するものである。子供が生まれなくては、産業の発展はありえないのである。
【０００５】
結婚に関するシステムについての特許文献としては、以下のようなものがある。
【０００６】
特開２００４−３２６５３２号公報（特許文献１）には、結婚カップルが結婚式及び披露宴での衣装を着た自分の分身を端末上でシミュレーションする。挙式を希望する結婚カップルが使用するユーザ端末と、結婚関連業者の業者システムと、ブライダルシステム２０とをインターネットで接続する。ブライダルシステムは、少なくとも新郎新婦の婚礼やお色直し用の衣装のデータが格納された衣装ＤＢ２５と処理装置２１とを備える。処理装置は、挙式前の所定の日時になると、衣装ＤＢを検索して新郎新婦の婚礼及びお色直し用衣装について複数の候補サンプルを抽出して、ユーザ端末へ三次元表示にて送信する手段と、ユーザ端末から選択された衣装情報を結婚カップルの身体情報とともに受信すると結婚カップルの分身イメージ像を作成する手段と、分身イメージ像に選択された衣装を試着させた３Ｄの試着イメージ動画を作成する手段と、試着イメージ動画をユーザ端末へ送信する手段とを有する。という技術が開示されている。
【０００７】
特開２００４−１７８５２７号公報（特許文献２）には、挙式、披露宴その他に要する諸費用の削減と打ち合わせ等に要する時間の浪費をなくし、挙式予定のカップル又は単身者が予定している金額で、希望する雰囲気と内容の挙式、披露宴、二次会等について一括したプランの提供。ホームページＨを開設し、そのホームページＨ上で、挙式と挙式に伴う披露宴、二次会の演出、運営、費用の算出その他を一括して立案、掲示を行う事業体Ｇと、事業体の業務遂行に協力し、提携する、国内外の各地域における提携業者と、端末又は携帯電話で前記事業体のホームページにアクセス可能な挙式予定のカップル又は単身者である顧客により構成される。という技術が開示されている。
【０００８】
特開２００３−３２３５０７号公報（特許文献３）には、結婚式のプランを具体化していく事前の打合せを効率良く行う。打合せ支援サーバ（１）を設定し、インターネット網（２）に常時接続しておく。このインターネット網（２）に、結婚式場受付に設置されている打合せ支援端末（３）をつなげる環境を構築する。さらに、打合せに必要なデータを登録したり、変更したりするためのデータ登録端末（４）が式場への納入業者者に設置され、これもインターネット接続されている。また新郎・新婦が式場に足を運ばなくても打合せができるよう家庭端末（５）がインターネットに接続されている。この環境の中で、料理や衣裳などの打合せに必要なデータは、すべて打合せ支援サーバ（１）の中に蓄積されており、新郎・新婦は、この蓄積されたデータを元にして、様々な内容を決定していくことを通して、実際の式場担当者との対面の打合せを減らしていくことができる。という技術が開示されている。
【０００９】
特開２００３−１８６９７５号公報（特許文献４）には、心理検査のみの判定で人の全貌を把握することで、人材を探す場合、望む分野を探す場合にも、明確な判断を導き出すことを行うに足りる結果を入手できることの可能な適合評価システムを提供する。個人が利用する端末１０と、集団が利用する端末２０と、個人と集団との適合の度合いを評価する適合評価装置３０をネットワークを介して通信可能とする。適合評価装置３０は、端末１０からのアクセス要求に応じて、心理検査を行うため画面を表示させ、検査結果を第１の点数情報として記憶領域に格納する。端末２０からのアクセス要求に応じて、集団が必要とする人材又は分野の必要度を段階的に点数化した第２の点数情報を設定し、端末２０からのアクセス要求に基づいて、第２の点数情報と第１の点数情報とを照合して各個人に応じた適合度を各々算出し、最も適合する個人を抽出して適合を判定する。という技術が開示されている。
【００１０】
特開２００３−５８６４８号公報（特許文献５）には、結婚式招待状に非接触ＩＣタグを用いることにより結婚式に関する諸手続きを簡易かつ確実に行うシステムと結婚式招待状を提供する。
本発明は、非接触ＩＣタグの付いた結婚式招待状１を招待者に送付することにより行う結婚式のサポートシステムであって、当該招待状の非接触ＩＣタグ３には、主催者および招待者に関する情報と、主催者および招待者の識別番号と、引き出物に関する金額価値が記録されており、招待状には新郎新婦のホームページアドレスが記載されている、ことを特徴とする。本発明の結婚式招待状は、非接触ＩＣタグの付いた結婚式招待状であって、当該非接触ＩＣタグには、主催者および招待者の識別番号とともに、引き出物と交換することができる金額価値が記録されていることを特徴とする。という技術が開示されている。
【００１１】
特開２００２−２１５８１７号公報（特許文献６）には、結婚プロデュース講座を修了した専門家により出会いサイトを運営し成婚者の発生を積極的に促進して、成婚者を結婚プロデュースのための会員組織に入会させるようにした結婚プロデュースシステムを提供する。会員へ結婚プロデュース情報を提供する結婚プロデュース部２２０と、電子掲示板を含む掲示板システム２１０とを含み、成婚者を結婚プロデュース部に会員登録して結婚プロデュースを行う。掲示板システムは、利用者からのメッセージ情報を受信し、利用者へ各掲示板情報を送信する入出力部と、メッセージ情報と各掲示板情報を登録する記憶部とを含み、結婚プロデュース部は、会員にネットワーク上で各種結婚プロデュース情報を送信し、会員からの各種結婚プロデュースに関する申し込み情報を受信すると共に、各電子掲示板において成立した成婚者に対して会員登録案内を送付する入出力部と、各種結婚プロデュース情報，申し込み情報及び会員登録案内を登録する記憶部とを含む。という技術が開示されている。
【００１２】
特開２００２−２０３０３４号公報（特許文献７）には、安価で、入会から出会いに至るまで、実際に人と会うことはなく、また手空きの少しの時間でもインターネットを介して異性と出会うことができる結婚情報の供給システムを提供する。インターネット２上にホームページを開設し、当該ホームページ上において、結婚を希望する男女が自らの具体的な情報を入力するパソコン３と、結婚相手に望む具体的な条件を入力するパソコン３と、当該データを蓄積するＷＥＢサーバ１と、これらのデータの中で適合する相手をマッチングするＷＥＢサーバ１と、当該マッチング結果により適合する個人の情報を操作者と相手の双方に電子メールで送るＷＥＢサーバ１とを備え、上記操作者と相手がこのホームページを通じてのみ電子メールの交換ができるようにして双方のプライバシーの保護を行った。という技術が開示されている。
【００１３】
特開２００２−１０９１０９号公報（特許文献８）には、従来の結婚情報提供サービスの技術によれば、構造的に運営コストが高く、利用料金が高いものであり、配偶者候補の選考基準もわかりづらかった。又、事業所が近くにない利用者には利便性が良くなかった。
結婚情報サービス事業者は、通信手段としてインターネットを使用する事と、システムにてサービス運営を行うことで、１つの事業所より全国展開の結婚情報サービスを運営できる。という技術が開示されている。
【００１４】
特開２００２−４９７１０号公報（特許文献９）には、インターネットを介して結婚するカップルの準備を支援するための結婚総合情報を提供し、その計画・実行を支援することを目的とする。インターネットに接続可能な結婚するカップルの利用者端末機と、結婚関連サービス・施設・商品の提供事業者が備えるコンピュータと、前記結婚総合計画を前記それぞれの端末機またはコンピュータに仲介する少なくともＷｅｂサーバを備えた支援仲介装置とからなり、ウェディング計画データベースを備え、プランニング支援手段を用いて選択決定しウェディング計画に記録した結婚するカップルの計画データから結婚関連サービス・施設・商品の提供事業者に直接注文を行う発注確認処理手段と、計画データの計画内容に含まれるサービス・施設・商品を前記結婚関連サービス・商品の提供事業者に希望条件を照会し複数の事業者から入札を受付け、希望に見合った最も条件の良い事業者を選択決定する入札仲介手段とを少なくとも備えていることを特徴とする。という技術が開示されている。
【００１５】
特開２００１−３５０８６９号公報（特許文献１０）には、男女会員の内的条件および外的条件を管理しながら、内的適合性および外的適合性について納得した相手を、多数の会員の中から十分に安全かつ速やかに決定可能にする。会員登録された個人別のデータを男女別に分けてデータベース３に登録しておき、男女会員双方からマッチングの希望があったとき、コンピュータ２により、予め用意された相性診断プログラム４に従って、データベース３から得られた男女会員双方に関するデータのデータマッチングを行い、このデータマッチングの結果、男女会員双方の希望条件が一定の基準を満たしている場合に男女会員双方へ紹介レターを送付する。という技術が開示されている。
【００１６】
特開２００１−２２２５８３号公報（特許文献１１）には、結婚を希望する男女会員の紹介を迅速に行うことができるうえ、会員のパートナー紹介情報を適正に管理運用してプライバシーが侵害される問題を防止し得る結婚相談システムを提供する。
結婚相談所の本部に設置されたホストコンピュータ１の制御手段１ｅが、情報読取装置１ｆから会員登録用紙の読取情報が送出されてくると、その記憶手段１ｄに記憶し、結婚相談所の支部に設置された端末コンピュータ２の制御手段２ｅが、その入力手段２ａ，２ｂからパートナー紹介情報の照会指令が送出されてくると、前記ホストコンピュータ１にアクセスして前記パートナー紹介情報の検索条件を受け取り、かつその表示手段２ｃに検索条件を表示させ、次に、この検索条件が満たされて特定のパートナー紹介情報が送出されてくると、この紹介情報を前記表示手段２ｃに表示し、また印字手段２ｇを動作させて用紙に印字させる。という技術が開示されている。
【００１７】
ＷＯ０２／００３２７９号公報（特許文献１２）には、従来においては、将来、結婚に至る可能性もある、人間関係の形成において、世界観、価値観に関わるもの以外のもの、例えば、外見、容姿、印象、雰囲気、あるいは、勤務先といったものが先に立って、交際が進み、人間性の確認が疎かになったまま、若しくは、世界観、価値観に関わる共感や共鳴の経験に基づいた、強い結びつきを形成しないまま、結婚に至り、結婚後になってから初めて、少なくともどちらか一方において、相手に対して、許容の範囲を越える、不都合に気がつく場合があることと、また、そうしたことが発生するまでに、二人で、乗り越えられるだけの基盤の形成の機会をもつことがあまり無かったことによる不和や離婚という問題点があった。以上のような問題点を解決するため、本発明は、人間性を始めとした各面で、予め、同じ類型の異性どうしが出会うことができるようにする、類型に関わる組合せによる調整の仕組みと、まず、先に世界観、価値観の確認ができるようにする仕組みと、出会った後も、世界観、価値観に関わる確認と強い結びつきの形成機会に恵まれる仕組みを、置いている。コンピュータシステムを用いた結婚情報サービス事業の方法において、自分の情報を入力する段階にある会員に対して、本人に関する、性格、性質を始めとした各種事項に関わる質問項目に答えることを促す段階と、その答えに応じて、当該会員を分類する段階と、自分の情報を入力する段階にある会員に対して、本人の世界観、価値観を、文章で入力することを促す段階と、その入力された文章を記憶する段階と、自分の情報を入力する段階にある会員に対して、本人のその他の情報を入力することを促す段階と、それを記憶する段階と、事業運営者に対して、先において記憶された文章に、その文章についての要旨として、適当な選択肢を、異性会員の検索段階にある会員に、選んでもらうための、択一式の問題を付したものを、入力することを促す段階と、それを記憶する段階と、異性会員の検索段階にある会員に対して、当該会員に対応するところの分類における異性群の、世界観、価値観として、文章で入力されているものを、読み出す段階と、読み出されたものを、出力する段階と、当該出力されたものを見て行くことを促し、かつ、その中から、面談を検討したい異性があれば、次の択一式の問題に答える段階に入ることを促す段階と、世界観、価値観として、文章で入力されたものの後に、択一式の問題が付されたものを、読み出す段階と、読み出されたものを、出力する段階と、当該択一式の問題に、答えることを、促す段階と、正答であれば、当該異性会員のその他の情報を、読み出す段階と、その読み出された情報を、出力する段階と、誤答であれば、当該異性会員のその他の情報に関する、読み出しが、検索段階にある、当該会員のパソコン画面上において、数分間、行われない手段と、異性会員のその他の情報の確認まで終えた当該会員に対して、これまでの情報を総合して、面談を検討し、次の段階であるところの、資料確認のための面談の申し込みをするか否か、答えることを、促す段階と、資料確認の面談に関わって、資料確認のための各種項目を、男女会員それぞれのパソコン画面上に、読み出す段階と、読み出されたものを、出力する段階と、これらを、お互いに確認をしながら、確認済みを意味する入力を、１項目ずつ、促す手段と、これら確認の最後に、次の段階であるところの、社会貢献に関わって、当該男女が、協力して行っていく活動をする段階に入ることの申し込みをするか否か、答えることを促す段階と、社会貢献において、当該男女が、協力して活動して行くことに関わって、テーマとして、両者において、合意した社会問題等の解決策等として、考案した内容を、文章、又は文章及び図面で、入力することを促す段階とを備え、
資料確認のための面談の開催を、該当する男女会員において、合意した場合に、当該男女分の情報を、当該会員間における当該関係が終了し、別の会員に対して、次に読み出すことを良しとするまで、検索画面には表示しない手段と、当該男女の分に関して、検索画面に、表示されない手続きが終了するに伴って、次の資料確認面接時に使われる、資料確認フォーマットが、パソコン画面上に、その後、当該男女用として、いつでも立ち上げることができるよう配備される段階と、会員に対し、会員自身の識別ＩＤの入力を促す段階と、
入力された識別ＩＤによって、会員分類のための前記質問項目への入力を許可するか否かを決定する段階とを備え、
資料確認面談として、当該男女が、お互いに、お互いに関する資料についての内容の確認を、確実にしてもらうことを促すため、１項目ずつ、確認するたびに、該当項目に、チェック入力することを促す段階と、
次の社会貢献協力活動の段階に入ることを了承したことを示すチェックが、両者においてあった場合には、その内容入力のためのスペースが、それ以降、当該男女に関して、パソコン画面上に、いつでも用意できるよう配備する段階とを備え、
社会貢献協力活動として、当該男女において、テーマとして、合意した社会問題等の解決策等を考案してもらい、その内容を、該当するスペースに、入力してもらう段階と、
さらに、国外の送り先に送る場合にあっては、翻訳ソフトにより、翻訳したものが、先の内容に並記されるべく、所定のスペースに置かれる段階と、
以上のものを、所定の電子メールに乗せて、希望する送り先へ送る段階とを備えることを特徴とする結婚情報サービス事業の方法。について開示されている。
【００１８】
しかしながら、これらの先行技術はいずれも、結婚するための出会いを支援するシステム、あるいは結婚を決断した後、結婚式を効率的に計画、実施するための支援システムであり、結婚することを決断すること自体を支援するシステムについては、開示されていない。結婚にとって重要なのは、まず出会いではあるが、たとえ出会いの機会を得たとしても、結婚を決断するということとは、次元の異なる、さらに難しい問題であるからである。
【特許文献１】特開２００４−３２６５３２号公報
【特許文献２】特開２００４−１７８５２７号公報
【特許文献３】特開２００３−３２３５０７号公報
【特許文献４】特開２００３−１８６９７５号公報
【特許文献５】特開２００３−５８６４８号公報
【特許文献６】特開２００２−２１５８１７号公報
【特許文献７】特開２００２−２０３０３４号公報
【特許文献８】特開２００２−１０９１０９号公報
【特許文献９】特開２００２−４９７１０号公報
【特許文献１０】特開２００１−３５０８６９号公報
【特許文献１１】特開２００１−２２２５８３号公報
【特許文献１２】ＷＯ０２／００３２７９号公報
【発明の開示】
【発明が解決しようとする課題】
【００１９】
本発明は、結婚したいと思っている相手とデートする時などに、デートの際、相手の心を掴む要領を提供し、結婚にゴールするに至るプロセスを支援するシステムを提供することを課題とする。
【課題を解決するための手段】
【００２０】
まず、結婚に至るまでには、出会いの場を設けること、その出会いの場には、それなりのコーディネートをして、相手を惹きつける装いをしていく必要があり、それは、本発明者らが、特願２００４−２０８１２３号「相手を惹きつける為のコーディネーション支援システム」において提案した出会いとコーディネートを結合したコーディネーションシステムを必要とする。その技術は以下のようなものである。
【００２１】
（１）以下の１〜４のデータを入力する手段を有しており、
１．結婚相談所にメンバー登録する手段、
２．自分の特徴（顔写真、背の高さ、性格、血液型、趣味、年齢、好きな音楽、好きなタレント、結婚観、年収、保有しているお出かけ用の洋服・着物・装身具・時計・バッグ等）のデータを入力する手段、
３．自分が好む相手の特徴（顔のタイプ、背の高さ、性格、血液型、趣味、年齢、年収等）のデータを入力する手段、
４．営業店の在庫、提供できるサービス等のデータを入力する手段、
以下５．から６．の環境データを外部情報データベースから取得する手段を有しており、
５．現在流行している洋服・着物・装身具・時計・バッグ・ヘアースタイル等のデータを取得する手段、
６．季報情報（天候、気温他）を取得する手段、
以下の７〜１３のステップを有しており、
７．自分の特徴と自分が好む相手の特徴を照合することによって絞り込まれた相手の表示により、選択した相手を入力し、それによって、相手側にその選択者の情報が表示され、相手側が、プロポウザルに対して同意または不同意を入力し、それによってデートする相手を確定させるステップ、
８．デートしたい日時、場所等について、双方により、それを確定させるステップ、
９．それにより、デートする時のコーディネーションを画面に表示するステップ、
１０．選択したコーディネーションについて、自分の保有していない品物を画面に表示するステップ、
１１．その品物を購入したい場合は、在庫のある店を表示するステップ、
１２．在庫がなく注文したい場合には、インターネットを通じて注文するステップ、
１３．必要に応じコーディネーション画面に表示されたヘアースタイルに仕上げてもらうための美容院もしくは理容室を選択し、予約するステップ
とからなることを特徴とする、コーディネーション支援システム。
（２）該システムは、結婚相談所とメンバーおよび化粧品店、衣装店、宝飾店、貸衣装店、美容室、理容室等が端末とが、インターネットでネットワークされており、環境データを外部データベースから取得し、その他の入力情報と合わせて解析処理可能なソウトウェアを搭載した中央演算処理装置を有していることを特徴とする、コーディネーション支援システム。
【００２２】
上記システムにより、すでに結婚を決心するに必要な基本的な情報の大部分は、デートの前にお互いがすでに知っている状態にある。ただし、結婚というのは、きわめて社会的な行為であるので、上記の情報以外に、相手の親兄弟、学歴、職業、職位、宗教、思想等の社会的情報を必要とする人も多いであろう。さらにまた、酒癖とか、ギャンブル癖とか、性的異常性とか、事前の入力情報としては提供しにくい情報も、結婚を決断する際には、きわめて重要である。しかし、これらの情報は、本人が正直に事前にデータに入力しておかないかぎり、システム上ですべて、事前に入手することはなかなか困難である。たとえ、入力されていても、たとえばギャンブル癖を一つ取り上げても、程度の問題がポイントであり、そこまで正確な情報を、システムから入手することは不可能である。ともあれ、個人差はあるものの、これらの相手の社会的情報は、結婚を決心する際には重要なポイントと思われるので、あらかじめ、入力可能なものは、上記システムにあらかじめ入力しておくようにしておくのが望ましい。ただ、最初のデートでお互いに、印象が良ければ、さらにデートを重ねる間において、システムからは得にくい情報を獲得しながら、結婚に至るという、プロセスを経ることも可能である。本発明者の場合は、男性であったので、相手の親兄弟、職業、職位、宗教、思想等の社会的情報にあまり頓着しなかったが、女性の場合は、男性の社会的情報はより重要な意味を持つものと推察する。
【００２３】
さて、本発明者が最も重要なものとして本発明において提案したいのは、デートにおける会話をサポートするシステムである。現代社会において、インターネットにおけるメール、携帯電話による会話やメールのやりとりは、きわめて高度に発達した。したがって、会話をサポートするシステムは無用のようにも思われるが、コーディネートして、デートをしても、結婚するというゴールに向かって、うまく会話することは、今の若者には必ずしも容易でないと思われる。もちろん、デートの際、お互いに気に入れば、ホテルに誘うという会話は得意であろう。しかし、ホテルに行に誘うということと、結婚をしようということは、次元の異なることである。ホテルはその場かぎりでありうるが、結婚となると、人生の長きにわたり、共に生活し、共に苦労を分かち合うことを約束することである。したがって、結婚に至るまでには、さまざま会話がなされ、意思疎通と愛情が育まれていくプロセスが必要である。
【００２４】
会話をどのようにサポートすれば良いのであろうか。まず重要なのは、いわゆる社会知識を身につけることである。具体的には、１．基本的な政治・社会情勢（少なくとも内閣総理大臣の政治方針に関する基礎知識は持っておきたい）、２．基本的な社会保障制度（難しいテーマであるが、家庭生活を営むには知っておく必要がある）、３．音楽・スポーツ・映画・テレビドラマに関する基礎知識（音楽・スポーツ・映画・テレビドラマは、娯楽の大きな割合を占めているので、自分の好む分野を中心に、それなりの知識は持っておきたい）４．愛情を表現する言葉の知識（現代人は、言葉の表現力が乏しくなったので、いろいろな愛情表現の言葉の知識を持っておきたい）５．結婚後に必要とされる生活費に関する知識（光熱費、住居費、税金、食費等に関する知識）６．自分の仕事に対する知識（特に男性の場合は、自分の仕事についての、専門的な知識を持つ必要がある。これは、相手にいかに、自分がプロフェッショナルな意識で仕事に取り組んでいるかを垣間見せるのに必要である。もっとも、デートの会話において、自分の仕事に関する専門知識を振り回すことは必要ない。）１．〜５．の知識は、特別なシステムを用いなくても獲得可能である。新聞、雑誌、インターネット、テレビ等を通じて日頃から勉強していればよい。しかしながら、現代はきわめて多忙であり、特に２．基本的な社会保障に関する知識、４．愛情を表現する言葉の知識などは、かなり自分で読書したり勉強したりする必要があり、その時間を割くことが困難である。したがって、システム化して容易に提供できるようにするのが望ましい。
【００２５】
すなわち、本発明は、以下を構成の要旨とするものである。
（１）以下の１．〜４．のデータを入力する手段を有しており、
１．結婚相談所にメンバー登録する手段、
２．自分の特徴（顔写真、背の高さ、性格、血液型、趣味、年齢、好きな音楽、好きなタレント、結婚観、年収、学歴、職業、職位、親兄弟、宗教、思想他）のデータを入力する手段、
３．自分が好む相手の特徴（顔のタイプ、背の高さ、性格、血液型、趣味、年齢、年収、学歴、職業、職位、親兄弟、宗教、思想他）のデータを入力する手段、
４．デートをする場所（レストラン、ホテル他）の情報を取得する手段、
以下の環境データを外部情報データベースから取得する手段を有しており、
５．季節情報（天候、気温他）を取得する手段、
以下の６．〜７．のステップを有しており、
６．自分の特徴と自分が好む相手の特徴を照合することによって絞り込まれた相手の表示により、選択した相手を入力し、それによって、相手側にその選択者の情報が表示され、相手側が、プロポウザルに対して同意または不同意を入力し、それによってデートする相手を確定させるステップ、
７．デートしたい日時、場所等について、双方により、それを確定させるステップ、
１．〜７．によりデートの機会を作ることを支援するシステム。
（２）、８．愛情を表現する言葉の知識に関するデータベース、
９．結婚後に必要とされる生活費（光熱費、住居費、税金、食費等に関する知識）に関するデータベース、
１０．基本的な社会保障制度（難しいテーマであるが、家庭生活を営むには知っておく必要がある）に関するデータベース、
１１．基本的な政治・社会情勢（少なくとも内閣総理大臣の政治方針に関する基礎知識）に関するデータベース、
１２．音楽・スポーツ・映画・テレビドラマに関するデータベース、
８．〜１０．のデータベース、あるいは８．〜１２．のデータベースにアクセスし、知識を修得して、結婚成立に至るまでの会話を支援するシステム。
（３）、（１）と（２）のシステムの併合により、出会いから結婚成立までのプロセスを支援するシステム。
２．自分の特徴、３．自分が好む相手の特徴は、入力可能なアイテムについて入力することになる。入力することに抵抗感を感ずるアイテムの入力の必要はない。
【発明の効果】
【００２６】
出会いから、結婚成立に至るまでのプロセスをサポートすることにより、本人同士が幸せになることはもとより、結婚年齢の高齢化や、それに伴う少子化の問題をいくらかでも解消し、将来の、年金問題などのきわめて困難な問題の解決の一助となす。また、これにより、日本の産業基盤の縮小化の問題に多少なりとも良き方向を見出し得る。
【発明を実施するための最良の形態】
【００２７】
すなわち、本発明は、以下を構成の要旨とするものである。
（１）以下の１．〜４．のデータを入力する手段を有しており、
１．結婚相談所にメンバー登録する手段、
２．自分の特徴（顔写真、背の高さ、性格、血液型、趣味、年齢、好きな音楽、好きなタレント、結婚観、年収、学歴、職業、職位、親兄弟、宗教、思想他）のデータを入力する手段、
３．自分が好む相手の特徴（顔のタイプ、背の高さ、性格、血液型、趣味、年齢、年収、学歴、職業、職位、親兄弟、宗教、思想他）のデータを入力する手段、
４．デートをする場所（レストラン、ホテル他）の情報を取得する手段、
以下の環境データを外部情報データベースから取得する手段を有しており、
５．季節情報（天候、気温他）を取得する手段、
以下の６．〜７．のステップを有しており、
６．自分の特徴と自分が好む相手の特徴を照合することによって絞り込まれた相手の表示により、選択した相手を入力し、それによって、相手側にその選択者の情報が表示され、相手側が、プロポウザルに対して同意または不同意を入力し、それによってデートする相手を確定させるステップ、
７．デートしたい日時、場所等について、双方により、それを確定させるステップ、
１．〜７．によりデートの機会を作ることを支援するシステム。
（２）、８．愛情を表現する言葉の知識に関するデータベース、
９．結婚後に必要とされる生活費（光熱費、住居費、税金、食費等に関する知識）に関するデータベース、
１０．基本的な社会保障制度（難しいテーマであるが、家庭生活を営むには知っておく必要がある）に関するデータベース、
１１．基本的な政治・社会情勢（少なくとも内閣総理大臣の政治方針に関する基礎知識）に関するデータベース、
１２．音楽・スポーツ・映画・テレビドラマに関するデータベース、
８．〜１０．のデータベース、あるいは８．〜１２．のデータベースにアクセスし、知識を修得して、結婚成立に至るまでの会話を支援するシステム。
（３）、（１）と（２）のシステムの併合により、出会いから結婚成立までのプロセスを支援するシステム。
（１）と（２）は、システムとしては結合しているももの、利用者側では、別個に利用できるようにしておく。当然（１）のシステムが利用料金が高くなる、あるいは、（１）のシステムを必要としない人もいるからである。
【実施例】
【００２８】
以下に本発明を実施例によって、説明するが、本発明は、実施例に限定されるものではない。
【００２９】
コーディネート支援システムは、図１に示すように、登録者端末１（ユーザ端末１）と、営業者端末２（ホテル、レストラン他）と、中央演算処理装置とを備え、これらはインターネットのネットワークを介して接続されている。
【００３０】
登録者端末１と営業者端末２は、例えば通常のパーソナルコンピュータ等から構成され、図２に示すように、制御部１１と、記憶部１３と、入力部１５と、表示部１７と、通信部１９と、を備える。また、登録者端末１と営業者端末２には、デジタルカメラ、スキャナ、ビデオカメラ等の画像入力装置が接続可能である。
【００３１】
制御部１１は、記憶部１３に記憶された動作プログラムを実行して、コーディネートに
必要な個人データの入力、結婚相談所へのメンバー登録、営業者のサービス提供情報の入力によって取得されたデータの処理を行う。
【００３２】
例えば、制御部１１は、結婚相談所への登録者の操作に従って、デジタルカメラ等の画
像入力装置を介して登録者の特徴データ（顔写真、背の高さ、性格、血液型、趣味、年齢、好きな音楽、好きなタレント、結婚観、年収、学歴、職業、職位、親兄弟、宗教、思想等）を取り込み、入力データに基づいて所定の利用者の特徴データを生成して記憶部１３に記憶する。また、制御部１１は、作成した特徴データと利用者のユーザＩＤを登録要求とともに中央演算処理装置３に送信する。
【００３３】
また、制御部１１は、結婚相談所への登録者の好みの異性に関する情報入力を受け付け、入力されたデータを登録者ＩＤとともに中央演算処理装置３に送信して登録する。
【００３４】
また、制御部１１は、中央演算処理装置３から、結婚相談所の登録者の好みの異性の特
徴情報によって、候補に挙げられたデートする相手の情報を受信し、表示部１７に表示する。結婚相談所の登録者がデートしたい異性を選択すると、異性のユーザ端末の表示部１７に、選択した登録者の情報を表示する。異性の側では、その表示された登録者が自分の気に入った人であるかどうか決定する情報を入力し、返信しデートを希望した相手のユーザ端末の表示部１７に表示する。選択された相手側が、デートに同意の決定をした場合であれば、登録者とデートに同意した両者の間では、デートの日時、場所がインターネットを介して、確定する作業が行われる。
【００３５】
記憶部１３は、登録者が入力した顔写真、背の高さ、性格、血液型、趣味、年齢、好き
な音楽、好きなタレント、結婚観、年収、学歴、職業、職位、親兄弟、宗教、思想等を記憶する。入力部１５は、例えば、キーボード、マウス等の入力装置を含み、利用者から入力されたデータを制御部１１に通知する。通信部１９は、中央演算処理装置３等との通信を制御する。
【００３６】
中央演算処理装置３は、例えば、図３に示すように、登録者のデータベース３１ａ、レストラン、気候等の季節情報のデータベース３１ｂ、ホテル等のデータベース３１ｃ、愛情を表現する言葉の知識のデータベース３１ｄ、結婚後に必要とされる生活費に関する知識のデータベース３１ｅ、基本的な社会保障制度に関するデータベース３１ｆ、基本的な政治・社会情勢に関するデータベース３１ｇ、音楽・スポーツ・映画・テレビドラマに関するデータベース３１ｈ、を備える記憶部３１と、制御部３３と、通信部３５と、を備えるコンピュータであり、例えばスキャナ、デジタルカメラ等の画像入力装置が接続可能である。
【００３７】
記憶部３１は、制御部３３が実行するプログラムを記憶するとともに、処理に必要な各
種のデータを記憶する。登録者データベース３１ａには、各登録者が入力したデータが格納されている。登録者情報は、例えば図４に示すように、登録者が入力すべき、デートする相手を確定するために必要な情報等を含む。
【００３８】
よって、登録者のデータベース３１ａには、登録者端末１に提供したデートする異性の候補が蓄積される。
【００３９】
データベース３１ｄは、８．愛情を表現する言葉の知識（現代人は、言葉の表現力が乏しくなったので、いろいろな愛情表現の言葉の知識を持っておきたい）に関するデータベース。
【００４０】
データベース３１ｅは、９．結婚後に必要とされる生活費の知識（光熱費、住居費、税金、食費等に関する知識）に関するデータベース。
【００４１】
データベース３１ｆは、１０．基本的な社会保障制度（難しいテーマであるが、家庭生活を営むには知っておく必要がある）に関するデータベース。
【００４２】
データベース３１ｇは、１１．基本的な政治・社会情勢（少なくとも内閣総理大臣の政治方針に関する基礎知識は持っておきたい）に関するデータベース。
【００４３】
ベータベース３１ｈは、１２．音楽・スポーツ・映画・テレビドラマの基礎知識（音楽・スポーツ・映画・テレビドラマは、娯楽の大きな割合を占めているので、自分の好む分野を中心に、それなりの知識は持っておきたい）に関するデータベース。
【００４４】
次に、この結婚を成立するための支援システムの主なステップ動作について図７を参照して説明する。例えば登録者は、本システムを利用するための所定の会員登録を行った後、自分の特徴データを登録者端末１から入力する。次に絞りこまれたデートの相手が表示される。登録者は、デートしたい相手を入力する。相手側にそのデータが表示されると、相手側はそのプロポウザルに対して同意または不同意を入力する。これによって、デートのカップルは確定する。（ステップ６）。
【００４５】
デートする二人は、登録者端末１により、デートしたい日時、場所等について、双方により確定する（ステップ７）。
【００４６】
そのあと、登録者（デートする人）は、各データベース（３１ｄ、３１ｅ、３１ｆ、３１ｇ、３１ｈ）に蓄積されているデータを、インターネットを介して取得し登録者にとって、デートする相手を惹きつけるような魅力ある会話ができる準備をする。これは、最初のデートまでに完了させる必要はない。結婚を決心するプロセスでゆっくりと身につければ良い。
【産業上の利用可能性】
【００４７】
このシステムが結婚関連のサービス産業に利用できることは言うまでもないが、本発明のシステムにより、結婚に至ることになれば、種々の産業が活性化される。
【００４８】
なお、本発明者は、人生において、２回の結婚を経験したが、やはり結婚に至るまでに、建設的な会話は大切であると感じている。本発明者には、結婚という観点から、３人の人生に残る女性がいるので、最後に紹介しておき、若い人の参考になればと考える。
【００４９】
厚子、
厚子とは、小学校２年の時、私の父が、国鉄職員であったことから、父の転勤によって、知った人である。たった１年間私の家族は、岐阜県大垣市和合本町の田舎の家の離れで間借り生活を送った。大垣と言えば、私の母の実家が、約７キロ離れた位置にある。母は、豪農の一人娘として生まれたが、太平洋戦争に負けたことで、ＧＨＱの農地解放政策により、母の人生も大きく変わったようである。鉄道員の金のない男と結婚して、農家の離れに間借りをするという、屈辱的な生活をしいられることになった。父は鉄道大学を出ていると母に仲人を通じて嘘を言ったらしい。このことは、一生母の恨みとして残り、私は、母の父に対する愚痴を数限りなく聞かされて育った。ただ、父には勉強しようとする気持ちはあり、助役の昇格試験に合格するだけの勉強はしていた。押し入れに、鉄道大学が発行した雑誌が山のように積まれていたのを記憶している。赤エンピツでところどころ線も引かれていた。
子供の私には、和合本町の農村生活は、那加町という小さな町とは違って、きわめて爽快なものであった。あの和合本町という土地は、水の多いところであった。今も、水は豊富かもしれない。間借りをした家の前は池であったし、池は田園のいたるところにあった記憶がある。小学校へ行く道の脇には、小川が流れ、小魚が泳いでいるのが見えた。子供心に、水の清さとそのながれ、川藻の緑の美しさに感動した。私は不器用だったので、釣り糸をたれても、魚を釣った記憶はない。夏の日であったか、池の水をくみ上げて魚をとる光景を見た。鯉、鮒、鯰とか、それに小魚、ザリガニとかが池の底から、山のように顔を出してくるのを見てびっくりしたのを覚えている。また、野鳥もいっぱいいた、私は、野鳥の巣を見つけたくて、林や野を散策したが、一つも見つけることができなかった。小学二年の私に巣を発見されるようなおろかな野鳥はいなかった。
父の勤めていた駅は、樽見線の東大垣である。今でも、この駅名は残っている。そしてインターネットで調べたところ、父は駅ができた最初の年、昭和３１年の春に着任したのであった。そして、ネット上の駅舎の写真は、私が小学二年の時の記憶と一致していた。今はＪＲではなく、いわゆる第三セクターによる経営である。今では無人の駅にも、当時は１０名程度の駅員がいたと記憶している。彼らの月給は、どう考えても採算のとれないあの田舎線でどのようにして支払われていたのか、子供心に不思議であった。やはり、国鉄の民営化が急がれたわけである。ちなみに、先に述べた那加駅には、３０人の職員がいたと父から聞いていた。これも、父から聞いた笑い話のような話であるが、４５年前の国鉄の愛知県稲沢駅には、石炭が少なくなったら、注文するだけを仕事とした人がいたという。さすがにこの話には、子供の私も耳を疑ったが、どうも嘘ではなかったようだ。その人は、普段なにをしていたのだろうか、赤旗新聞の原稿でも書くことでもしていたのであれば救われるが、何もすることがなかったら、私なら気がめいってしまう。のんき、であればいいのだが。
和合本町の農家の離れに間借りをしていた我が家庭には、風呂がなかった。時々家主の風呂を借りてはいたが、たいてい駅の風呂を借りに駅まで約１キロを歩いた。子供の私には、それはまったく苦痛ではなかった。ただ、母は、ずいぶんみじめな思いをしたと思う。駅の風呂を気軽に使えたのは、父が一応助役であった。一応というのは、当時予備助役という身分があって父は、それであったと記憶している。予備助役に官舎は与えられなかったのである。田舎の夜道を歩くのは、すがすがしい気分であった。冬の寒さなどまったく記憶していない。
厚子は、長い黒髪を中央から別けており、顔はふっくらとした、源氏物語の若紫のような感じの女性であった。小学二年生に女性という表現は、やや不適切かもしれないが、厚子には、その時すでに女性の色気を持っていたような気がする。しかし、厚子との思い出は、あまりにも短かかったが、きわめて長く尾を引いた。ただ、厚子も私のことを好きであったことは確信を持って言える。二人で、小野小学校の付近の田園を散策した記憶がある。二人で同じ時間をすごした記憶はたったこれだけである。時間にして、２時間程度であったろうか。だが、この２時間のデートでの、厚子の口からの甘い臭いは５５歳になった今も記憶している。けっして、キスをしたわけではないが、かなり顔を近づけて、歩いたりしていたのであろう。厚子には、兄が何人かいたと思う。夕方、厚子が「帰らなくちゃ」と言って見送った時、厚子の兄を見た。さすがに兄の顔までは記憶していない。二人で歩いた小川には、ザリガニがたくさんいた。厚子の家は、小野小学校のすぐ近くにあり、記憶しやすい場所であった。別れが来たのは、早かった。翌年春の人事で、父は、つい一年前に勤務していた那加駅の助役として、小さな官舎が与えられる身分に昇格したのである。父と母は、喜んでいた。しかし、私は大泣きした。私の人生で最も大な声で泣いたのは、この時であったと思う。それ以外は、悩んだことは多かったが、泣いた記憶はない。たった一年でやってきた厚子との別れはあまりにも私には残酷な出来事であった。
３月の修業式の数日前、父は、写真が趣味であったこともあり、学校の昼休みにやってきて、私の同級生の写真をたくさんとってくれた。しかし残念ながら、探しても厚子はそこにはいなかった。終業式の日、別れあいさつに、父が焼き増しした写真を配った時の、厚子の何か物足りないような顔をして、私を見つめていたのを記憶している。ただ、小学二年生の私には、厚子との将来の愛を誓うような言葉を見つけるにはあまりにも幼かった。ただ、母の元に残されている私の子供時代のアルバムに厚子の姿がないことはほんとうに残念である。だから、私の子供時代のアルバムは私の手元に置く気持ちになれなく、実家に置いてある。
私の家族三人は、四月に入ってから、間借りの離れを後に、挨拶のため、７キロの道を母の実家へ向かって歩いた。当時は、気温は今より低く、四月であったが、小雪が舞っていた。伊吹山は美しく雪化粧をしいていた。まさに、昭和３１年の春日八郎の「別れの一本杉」の世界である。「泣けた  泣けた  こらえ切れずに  泣けたっけ  あの子と別れた  哀しさに、・・・・一本杉の・・」家族三人で、大垣の和合本町から大垣の楽田町まで歩いた、あの日のことは、私の生涯忘れられない一日の一つとなった。しかし、母の実家に着いた後の、那加まで行った道程については、まったく私の記憶にない。伊吹山の雪化粧だけが印象的であり、厚子のことを思いながら、田んぼ道をとぼとぼと歩いたことだけを記憶している。      
春日八郎は、国鉄の慰安会の招待で、名古屋へ父とコンサートに行ったことがある。実にいい声である。男性では、日本一だと思う。父に「三橋美智也とどちらの歌がいいか」と聞いたことがあるが、父は「春日八郎だな」と言った。同感だと思った。しかし、残念ながら今の父は、私がこのような質問をしても答えられない程、ボケてきてしまった。なお、私の一番は、石川さゆりの「津軽海峡・冬景色」である。次ぎは、春日八郎の、「赤いランプの終列車」である。これは、国鉄の官舎に住んでいたので、幼いころから、蒸気機関車に連結された最後尾の赤いランプを見て育ったのである。こう並べると、三曲とも別れの歌である。人生は、別れに始まって、別れにいずれ終わる。そして死ぬ時がすべてと別れる時であり、５５歳の私には、そんなに先のことではなくなっている。
さて、厚子の話に戻したい。若紫を連想させる、厚子は、その後、何度も夢の中で出てきた。おそらく１００回以上であると思う。また和合本町の風景も幾度となく、夢に出た。源氏物語でも、私は、若紫の章に一番興味がある。数年前の歌舞伎の源氏物語では、尾上菊之助が演じていたが、菊之助の若紫も美しかった。
厚子には、大学一年の時、会いに厚子の家まで行ったことがある。東大垣の駅への道をたずねる振りをしたのである。家を訪ねた時、出てきたのは、運よく、厚子であった。１８歳の厚子は、小学二年の時のように、黒髪は長く中央から分け、顔は丸く、あまりの美しさと女らしさに腰が抜けるような感覚を覚えた。表現すれば、妖美というのが最も適切な言葉でうると思う。しかし、当然、厚子には、私のことは認知できないことは、はじめに考えていた通りであり、厚子の美しさに圧倒され、東大垣駅への道を聞いて立ち去った。ほんの３０秒間かそれ以下の出会いであった。厚子への思いは、私の７歳から１８歳までの心をほぼ独占し続けた。私は、次女に厚子という名をつけている。次女が生まれたのは、私が３２歳の時であったから、その時もまだ厚子のことは、心から完全には消えていなかったのである。
なお、大垣市和合本町を、その後は訪れてない、地図をみると今は国道２１号線のインターチェンジが小野小学校の付近にあり、おそらく昔の面影はまったくないと思われる。池の多くも無くなっており、ひょっとしたら小川も消えているかも知れない。私は、自然環境が破壊された町に失望することの恐ろしさで、もう二度と和合本町に行く気持ちはない。そして、もちろん厚子に会うこともできない。内心は会いたいのだが、今は会う方法がない。厚子は、私の人生の相当期間、私の心を占拠していたが、厚子への思いをほぼ断ちきったのは女優藤純子の映画を見た時であった。ただ、今でも思う。もう1年長く和合本町にいたら、私の人生は、変わっていたかもしれないと。好きな女性と結婚するという機会はこの時確実に父の人事によって奪われてしまった。
注：要するにあまり幼いと結婚を語ることはできないということである。
【００５０】
友子、
友子は、私の最初の妻である。私は、就職前に結婚相手を決めておこうと考えていた。兄弟のいない私は、早く後継ぎを儲けることに責任を感じていた。それは、私の母がまだ大学の頃から、孫が出来るのを期待していたような話を時折していたからである。自分の二番目の子供を降ろしたので、そのことを早く忘れたかったのかも知れない。私は、とにかく結婚するなら、健康で、頭が良く、可愛い、女性の三つの条件を考えていた。友子は、岐阜薬科大学を卒業し、名古屋大学の文部技官として勤務していた。研究室は、私は、醗酵化学教室であり、友子は、植物肥料教室であって違ってはいたが、友子は学生時代、バレーボールをやっていたので、農学部の前の広場でよくバレーボールをやっていたのを見かけた。私は、球技が不得意だったので、やらなかった。この私の球技の不得意さは、長女紀子に遺伝しており、長女にはめいわくをかけている。
ある日、農学部の学生が集まるロビーの椅子に、健康的な太い足を出して、朗らかに技官仲間と会話している友子を見て、瞬間的に結婚するなら、この人だと決めてしまった。
その後、友子は当然ながら、技官としてのプライドもあり、年下の妙なひょろりとした学生に興味を示さなかったが、私のアプローチは積極的であったので、卒業前に数回のデートをした。東山公園とか、名古屋駅近くのホテルに泊ったことを良く記憶している。そして、卒業後も連絡を取り合えるまでにした。私の着任地は横浜工場であった。横浜と名古屋は、かなりの距離があるが、静岡を中心に週末に逢った。静岡、御殿場、湯河原、新横浜、箱根等、月一度のペースで逢っていた。若い二人は、燃えていた。スキー場に行ったこともある。最初は、戸狩、次は戸隠、他は記憶に残っていない。特に戸狩に行った時は、雪が前日までなかったが、天気予報を信じて行ったら、あたり一面新雪が７０センチ積もり、表現しがたい朝の雪景色の美しさを体験した。戸隠には、雪山の神秘的な美しさを感じた。
約２年半の交際の後、昭和４９年１１月１２日に名古屋で結婚式を挙げた。その後の友子との２９年間の結婚生活のことは、幸せな家庭生活を送り、３３歳で茨城県龍ヶ崎市に家を購入し、子供達は、龍ヶ崎市で転校もなく、数々の思い出を残し、現在も、長男を除いて、龍ヶ崎を拠点に生活している。家庭生活はきわめて平凡にある時期までは過ぎた。
ただ、なかなか子供は、できなかった。３年目でやっと長男ができ、２年の間隔で、長女、次女に恵まれた。私の結婚相手に関する判断は、正しく、みんな順調に成長してくれた。長男は高校ラクビー日本代表チームに選ばれ、また花園大会に出場後、一橋大学法学部に入学、ＪＡ全農福岡支所に勤務しながら、２回目にして２００３年に司法試験に合格した。まさか、私は、司法試験に合格する息子を持つ父になるとは思ってもみなかった。平成１５年度の論文試験問題を見たが、仕事をしながらどうして２年で合格できたのが私には、まったく理解できない。彼は、高校の時、あまり勉強していなかったが、成績通知表は、オール１０、試験成績順位は、ほとんど学年一位であった。高校時代に能力の限界を感じていた私と次元が違うことは確かである。しかし、電気製品の修理とかは私の方が得意で、彼はまったくそういうことが不得意である。長女は、社会福祉士、次女厚子は、保育士としてやっている。かように、友子のおかげで、私は子供の教育の心配というものには無縁の父であった。ほんとうに友子に感謝している。
友子との結婚生活は、２９年間で終了したのであるが、何ら妻友子に不満があった訳ではない。どうしても、手を切れなくなってしまった女性ができてしまったのである。責はすべて私にあるのだが、その女性は、これからの人生において、私の手助けを必要としており、これは定めとしかいいようがない。男の勝手な言い訳かもしれないが。
注：人生には、定めという糸がある。
【００５１】
慶子、
慶子は、私の２度目の妻である。知り合ったのは、今から、およそ１３年前のカラオケボックスであった。当時、４１歳であった私は、Ｋビール会社横浜工場の品質管理部長として、勤務していたが、バブル経済がまだ続いており、数繁く、職場の部下を連れて、横浜、生麦の居酒屋、カラオケホックスに行った。これらの費用は、ほとんど、私の決済で会社経費として、処理できた時代であった。私の家族は、茨城県の龍ヶ崎に住んでいたので、私は、横浜鶴見駅前のワンルームマンションを会社から借りてもらい単身生活を開始することになった。横浜という独特の誘惑的な都市、４１歳という男としてのある意味で充実した年齢期、単身赴任、バブリーな世の中、サラリーマン生活の中で始めて一応部長と呼ばれるポストに就いたこと、これは、私の心の中にある意味でルーズな感覚を形成させていった。品質管理部長に着任して、半年ぐらいしてからのことであった。品質管理部の部下と生麦のあるカラオケボックスに行った時のことである。隣のボックスに同じ工場の瓶詰めラインの女性作業員グループがいるので、部下の中のリーダー格であった牧さんが、私と一緒に隣を覘いてみることを勧めた。牧さんは、実は、さらに遡ること１８年前に、私が、同じＫ食品会社横浜工場醸造課に新入社員として着任した時の醗酵係の班長を務めていた男であり、その後、係長まで努め、その後、品質管理職場のリーダーとして勤務していたので、着任当時から良く知っていた人であった。しかし、１８年前のＫ食品会社横浜工場は、大工場であり、男の職場である醸造課に勤務した私には、瓶詰ラインの臨時従業員と呼ばれている女性らのことはまったく知らなかった。牧さんに、連れられて、私は、隣のカラオケボックスへ行くと瓶詰ラインの７〜８人の女性に顔を合わせた。私は、彼女たちの誰も知らなかったが、彼女達の中には、私を知っていた人が半数程いたと想像する。それは、私が、２６歳頃、横浜工場で労働組合の書記長を努めたことがあり、醸造課以外にも、組合活動を通じて、私自身の名は、他の職場にも知られていたからである。その中に、白いポロシャツを着た、女性達の中で、最も若々しく温和な少し控え目の女性がいて、私の印象に残った。隣のボックスを覘いただけであるから、その時は、ほんの１０分間程度のできごとであった。
翌日、私が、工場事務所から、瓶詰ラインの建物へ行く途中で慶子に偶然会った。かわいい人だなと改めて思った。「昨日は、どうも。元気ですか」「はい、どうも」「今日、中華街へ食事にいきませんか、６時に正門で待っています」「はい、でも、よろしいですか、私一人で」そんな会話を交わし、私と慶子は、その夜中華街で食事をした。彼女が慶子という名であることもその時始めて知った。その時は、食事だけで別れたが、今度は、生麦のカラオケバーへ行く約束をした。
数日してから、カラオケバーへ慶子と行った。当時は、香西かおりの「流恋草」がはやっており、慶子はこれを楽しそうに歌った。この歌詞は、かなり誘惑的なものである「・・・涙が凍る心が燃えるあなたが欲しい  ひとりが辛いこんな夜は  あなたを許せない」と歌われると、つい、「今夜、僕のマンションに寄らないかい」と言ってしまった。これが、１３年に亘る交際の後、５４歳の２００４年３月３日に、慶子と入籍を済ませるまでの長い道のり始まりであった。
その夜、慶子は、私の鶴見のマンションを出て、生麦の自宅へもどる時、「今度いつ来られるかな」と言ったら、「１０日間に１回ぐらい」と話して出て行った。ところが、慶子は、毎晩、私のマンションと生麦を自転車で往復することとなったのである。当時３８歳であつた慶子には、およそ今から５年前に亡くなった父と２００３年１月１日に亡くなった母がいたので、私の朝食の準備をした後、私のマンションを朝５時頃出て、両親の食事の準備をするという生活を開始したのである。雪の降る朝は、私のコートを羽織って帰ったことがある。また、夜は、時々、兄嫁の経営する川崎のカラオケバーを手伝ったあと、私のマンションに深夜に来たりしていた。当時の慶子は、３８歳でそれなりに美しく、何といっても人当りがいいので、兄嫁も慶子による売上貢献に期待していたようであった。慶子の家は、貧しかった。臨時従業員の月給では、たかがしれている。そんなわけで、慶子は工場前のぼろアパートを借り、父と母のめんどうをみていた。一人娘、めぐみがいるのだが、彼女はすでに自衛隊に就職していた。慶子は、１９歳で結婚し、一人の女子を儲けたあと、離婚している。離婚は、２０歳頃であった。その後、横浜工場に瓶詰ラインの臨時従業員として勤務し、両親のめんどうを見ながら、一人の女の子を育て上げ、２００３年１月１日母が死亡した時点で、実質的に一人暮らしとなった。
１３年間の二人の間には、当然いろいろなことがあったが、一貫して変わらなかったのは、慶子の私に対する純粋で無欲な愛であった。慶子は、まったくの善人であった。悪女であれば、私は家族を捨てる決心はしなかった。私は、友子の章で述べたように、家族には恵まれていた。妻のことも愛していた、長男、長女、次女いずれをも愛していた。慶子の愛が無欲でなければ、彼らを捨てまで、慶子との愛を貫くことはけっしてなかった。しかし、慶子程の善人はいなかった。善人を裏切る非情さは、私には持ち合わせていなかった。この非情になれないという性格は、私のサラリーマン生活の中でも、出世をするという意味においては、妨げとなったと思う。しかし、私には、出世をするということの価値観を捨てられる、結果的には、いいチャンスが訪れた。
私は、４４歳の時に鬱病になった。原因は、はっきりとは言えないが、私は、一人っ子であったこともあり、根回しという複雑な人間関係をさばくことの苦手な人間であったため、組織の中で生きることに長年のストレスが蓄積していたことと、今後さらにストレスがかかる職務に就くことへの恐怖、および、工場とか、管理部門の仕事が多く、仕事に真の達成感を持てなかった仕事を続けてきたことによる自責の念の累積によるものと推察している。鬱病の闘病生活は、恐ろしいほど辛いものであったが、慶子の存在も、心の支えの一つとなり、比較的早期に、会社業務・特許業務に復帰した。しかし、５５歳となった今も、投薬治療は続いている。
横浜工場品質管理部長から、本社の特許部門へ異動になってからは、鶯谷が慶子と逢う場であった。月に２回程度逢うというパターンを約１０年間続けた。二人は、毎月１万円、ボーナス月、２万円貯金することを開始した。これは、１０年後には、２００万円を超すにまでになり、後にのべる、マンションの頭金の調達に役立った。特許部門は、会社の中では、特殊な部門であり、出世することは、あきらめることを余儀なくさせられる職場であるが、特許の仕事は、奥が深く面白い職場であった。鬱病になったことと、特許の仕事の面白さは、私に、出世という価値観を捨てることを容易にした。
２００３年１月１日は慶子の母が亡くなった日である。私と慶子は、毎日電話をしていたので、慶子の母の死が近づいていたことは知っていた。慶子の母は、目がみえなかったので、身障者年金を受け取っていたが、この給付がなくなると、慶子は、アパートの費用を差し引くと生活する資金が不足することは明白に推察できた。
私の、決心は早かった。１月１３日には、荷物をまとめて、彼女のアパートに転がり込んでいた。ただ、私の決心は、あまりにも早すぎたので、慶子の関係者も驚いた。特に慶子の娘、めぐみは、しばらく、彼女のアパートに一歳の子供と夫と暮らすつもりでいた。そこへ、私が、１３日に行くと言ったものであるから、この話は、娘と私の間で、一時的な摩擦を生んだ。また、私と慶子の間のことを、自分だけが、１３年間まったく知らなかった慶子の兄は、自分だけが情報の外に置かれていたことに憤慨した。しかし、私は、長年の人生哲学として、ストライクは見逃すなという考えを持っており、一度決心した機会を延ばすと、二度とこのような思い切ったことはできないことを知っていた。決断が早いのは、私のかなり特異的な能力であり、今まで、早く決断したことにより、後悔した記憶はなかった。逆に躊躇すると、後悔することが多い。
私の荷物は、書籍、ビデオ、テレビ、ＤＶＤプレーヤーと洋服だけであり、赤帽の車にちょうど納まった。しかし、これらの品物の多くは、狭いアパートの押入れに収納されたままとなった。しかし、後悔することはまったくなかった。それだけ、慶子と二人の仲は、完成していたとも言える。
生麦のアパートは、狭い割には、家賃が高かったので、私はすぐ、生麦付近にマンションの物件を探し、２００３年１月３１日には、翌年に完成するゴールドクレスト横浜鶴見４１６号の購入契約を完了させていた。これができたのは、先にのべた２００万円の二人の貯金であった。完成入居前の大きな出来事と言えば、胃潰瘍で慶子が２週間程入院した程度である。しかし、この胃潰瘍の入院は、腰部・股関節部の痛み止めの薬によるものであり、さらなる入院生活の始まりでもあった。
新築マンションへの入居も２００４年２月１３日に終わり、３月３日入籍し、しばらく平穏な日々が続いた。ところが、６月５日に突然大きな問題が起こった。大口病院、太田明彦医師の診断により、慶子は、腰部脊椎管狭窄症および左右の変形性股関節症（変形性股関節症とは、なんらかの原因で股関節の軟骨がすり減って痛みが出たり、歩行困難になる病気）である。腰部および、左右の人工股関節手術が必要であり、労働は困難な状態であるとされたのである。太田明彦医師は、整形外科では日本の３本指に入るという評判の医師であると慶子から聞いていたので、概算の手術費用と、手術日程について、私は、その６月５日に、太田医師との間で話を進めた。太田医師の手術日程は、詰まっていた。結局、最短で、７月２０日に入院し、まず、腰部、次に左股関節部の手術を行うことに決まった。
慶子の足と腰の痛みについては、本人からかなり以前から聞いてはていたが、漠然として、慶子が退職してから、適当な医師がいれば手術すればいいかなぐらいにしか、私は考えていなかった。要するに、自分の痛みでないので、その程度の理解しかできなかったのである。
初回の腰部の手術は、７月２３日に行われ、太田医師の予定した形で無事終了した。二回目の左股関節の手術は、８月２５日に無事終了した。三回目の右股関節の手術日程は１１月１７日に終了した。
岐阜には、老いてボケてきた父と、老いた母を残しているが、いかんともしがたい。私は、まったくの親不幸者である。しかし、私の人生は、慶子と歩むしかない。延納してもらっている友子への慰謝料も完済したい。私は、退職後の特許周辺のビジネス立ち上げに向けて努力している。２００５年７月２０日に退職する届出は、受理されている。
注：男は愛してくれる女性を捨てることはなかなかできるものではない。
【００５２】
美紀子、
長男から、平成１７年３月２２日に入籍し、１０月頃ハワイで二人だけで挙式するとの連絡を受けた福岡の女性である。・・・「おめでとう。私の人生を反面教師として、幸せに。美紀子様の両親としては、娘をいずれ遥かの東京へ送り出すのであるから、この寂しさについては、私には、推察できないものがあります。私としては、いつか、美紀子様にお会いできるのを期待しております」と返信した。
そして、この時、私が両親から引き継いだ、人間の脈々としたいとなみを、子供にバトンがリレーされたことを実感し、心が一種の充実感で満たされるのを感じた。
【００５３】
本発明者の出会いから結婚成立に至るプロセスにおいて、本発明者が、提案したようなシステムが必要ではなかった。本発明者の提案するシステムは、当然、すべての人が必要とするものではない。というのは、本発明者の提案するシステムはあくまで、手段の一つにしかすぎないのであって、結婚には、決断するという主体的な行為が最も重要な部分を占めているからである。しかし、出会いから、決断するという結婚に至るプロセスを支援するシステムの存在は、結婚しない男性、女性が増加している日本、そして日本の若者が結婚に対して漠然とした不安感を持っている現状を鑑みると、それなりに有用性があるものと考えられる。
【図面の簡単な説明】
【００５４】
【図１】結婚成立までのプロセスを支援するシステム
【図２】登録者端末１と営業者端末２
【図３】中央演算処理装置３
【図４】登録者情報
【図５】取得する環境データ
【図６】手段の構成
【図７】システムフロー図
【符号の説明】
【００５５】
１  登録者端末
２  営業者端末
３  中央演算処理装置
１１  制御部
１３  記憶部
１５  入力部
１７  表示部
１９  通信部
３１  記憶部
３３  制御部
３５  通信部
【図１】
2006244349.tif 000003
【図２】
2006244349.tif 000004
【図３】
2006244349.tif 000005
【図４】
2006244349.tif 000006
【図５】
2006244349.tif 000007
【図６】
2006244349.tif 000008
【図７】
2006244349.tif 000009